(57)【特許請求の範囲】
【請求項１】
缶を載置する載置板と、該載置板の表面に設けられ、載置された缶の外面に係合して缶の水平面内での回転を防止する係止部材と、前記載置板に設けられて作業者の足で踏むことができる踏み部とを有する缶の回転防止具であって、
中央に方形の主板を設け、該主板の少なくとも３辺に夫々載置板を外側へ突出して設け、少なくとも一直線上に位置する２枚の載置板に前記係止部材を設けたことを特徴とする缶の回転防止具。
【請求項２】
前記載置板を折り畳み可能に設けたことを特徴とする請求項１記載の缶の回転防止具。
【請求項３】
前記係止部材が、缶の外周の角部に係合する等辺山形鋼で形成されていることを特徴とする請求項１又は２記載の缶の回転防止具。
【請求項４】
前記係止部材が、缶の側壁面に係合する平板で形成されていることを特徴とする請求項１又は２記載の缶の回転防止具。
【発明の詳細な説明】
【技術分野】
【０００１】
本発明は、缶の回転防止具に関するもので、詳しくは、塗料等の缶を開缶して、その収納物をハンドミキサー等で攪拌する際に、その缶が供廻りしないように固定する缶の回転防止具に関する。
【背景技術】
【０００２】
従来、建築現場で使用される塗料等は、通常、一斗缶、ペール缶等に入れられた密封状態で建築現場に納入され、これを建築現場で開缶し、その缶内で塗料等の攪拌、混合を行っている。
【０００３】
この攪拌、混合は、一般にハンドミキサー等の攪拌機の攪拌部を缶の塗料等内に入れ、この攪拌機を作業者が手に持って攪拌作業を行うのが現状である。
また、攪拌時においては、内容物の粘性、量により、缶を固定しないと、缶が供廻りするため、その缶を、作業者の両脚内側で挟み固定した状態で攪拌作業を行っているのが一般的である。
【発明の概要】
【発明が解決しようとする課題】
【０００４】
ところで、一般に前記の缶は金属や硬質樹脂で形成されているため、開缶された部分は、鋭利な状態となっており、前記のように、作業者が両脚内側で缶を挟み込み固定すると、その挟み込みが不十分又は必要以上の回転力が掛ると缶が供廻り回転して作業者が怪我をするおそれがある。
【０００５】
そこで、本発明は、作業者の人体が缶に接触することなく、その作業者の体重を、缶の回転を防止する力として缶に伝達して、缶内の塗料等の攪拌、混合を行うことができる缶の回転防止具を提供し、前記従来の問題を解消することを目的とするものである。
【課題を解決するための手段】
【０００６】
前記の課題を解決するために、請求項１記載の発明は、缶を載置する載置板と、該載置板の表面に設けられ、載置された缶の外面に係合して缶の水平面内での回転を防止する係止部材と、前記載置板に設けられて作業者の足で踏むことができる踏み部とを有する缶の回転防止具であって、
中央に方形の主板を設け、該主板の少なくとも３辺に夫々載置板を外側へ突出して設け、少なくとも一直線上に位置する２枚の載置板に前記係止部材を設けたことを特徴とするものである。
【０００７】
請求項２記載の発明は、請求項１記載の発明において、前記載置板を折り畳み可能に設けたことを特徴とするものである。
【０００８】
請求項３記載の発明は、請求項１又は２記載の発明において、前記係止部材が、缶の外周の角部に係合する等辺山形鋼で形成されていることを特徴とするものである。
【０００９】
請求項４記載の発明は、請求項１又は２記載の発明において、前記係止部材が、缶の側壁面に係合する平板で形成されていることを特徴とするものである。
【発明の効果】
【００１１】
本発明によれば、開缶された缶を載置板上に載置し、その缶の外面に係止部材を係合させることにより載置板に対する缶の水平面内での回転を防止し、また、載置板の踏み部を作業者が足で踏むことにより、その体重によって載置板の回転を防止できる。
【００１２】
したがって、作業者が缶に接触することなく、攪拌機の回転による缶の供廻りを防止でき、作業者の怪我のおそれをなくし、かつ、作業性の向上を図ることができる。
【００１３】
また、載置板を折り畳み可能に設けることにより、運搬時のコンパクト化を図ることができる。
【図面の簡単な説明】
【００１４】
【図１】本発明の実施例１を示す斜視図。
【図２】図１の平面図。
【図３】図１の側面図。
【図４】図１において缶を載置した状態の斜視図。
【図５】本発明の実施例２を示す斜視図。
【図６】本発明の実施例３を示す斜視図。
【図７】本発明の実施例４を示す平面図。
【図８】本発明の実施例５を示す平面図。
【図９】本発明の実施例６を示す斜視図。
【図１０】本発明の実施例７を示す斜視図。
【発明を実施するための形態】
【００１５】
本発明を図に示す実施例に基づいて説明する。
［実施例１］
図１乃至図４は実施例１を示すもので、その図２は回転防止具１を実線で示し、缶２を鎖線で示し、また、図４は回転防止具１と缶２を実線で示している。
【００１６】
また、本実施例は、横断面が方形の缶、例えば、建築現場で使用する塗料等を収納するいわゆる一斗缶と称される缶に使用する例であり、その缶は、横断面形状が正方形の角筒状のものである。
【００１７】
尚、以下において、回転防止具１の使用姿勢において、その表面側をＡとし、裏面側をＢとする。
【００１８】
回転防止具１は、その中央に位置して主板３が配置されており、該主板３は正方形の板材、例えば、金属板、樹脂板等で形成されている。更に、前記主板３は、使用する缶２の外径より小径に形成されている。実施例では、この主板３の直径を約１００ｍｍに設定した。
【００１９】
前記、主板３の各側端部３ａには、夫々長方形状の載置板４が、側端部３ａの端辺方向と直交する外側方向へ突出するように備えられており、本実施例１では４個備えられている。前記載置板４は、主板３に対して、回転手段、例えば、水平方向に回転軸を有する板丁番等の丁番５により表裏方向に回転可能に連結して備えられている。
【００２０】
該各載置板４は、金属板、樹脂板等で形成されている。更に、前記各載置板４の外側方向への突出長は、各載置板４の図に示すような使用時の水平姿勢において、前記の缶２を、その中心部が前記主板３の中心部に略合致し、かつ、缶２の角部２ａが各載置板４上に位置するように配置した場合に、各載置板４の外先端部が缶２の角部２ａの位置より外側に位置し、かつ、後述する係止部材６の外側に所定長の踏み部４ａが形成されるように設定されている。実施例では、この載置板４の長手方向の長さを約２００ｍｍに設定した。
【００２１】
前記各載置板４には、これを水平姿勢にした図の状態において、その載置板４の表面Ａ側に位置して、係止部材６が固設されている。
【００２２】
該係止部材６は、内角が９０度の等辺山形鋼を、その軸方向において適宜長さに切断した部材で形成され、これを、その内角側が、係止部材６の中心側、すなわち、主板３側に向くように配置して各載置板４の使用状態における表面側に溶接等で固定して立設されている。該各係止部材６は、各係止部材６の内面（内角面）が、缶２における外周の角部２ａの外面（外角面）に近接するように配置されている。すなわち、係止部材６は、缶２の外面に係止して缶２の水平面内での回転を防止するように配置されている。
【００２３】
なお、前記各係止部材６の長さ、高さ、対向する両係止部材６，６の対向間隔は、缶２を各係止部材６間内に嵌合配置した場合に、回転防止具１に対して缶２の水平面内での回転を阻止できればよく、その長さ、高さ、対向間隔は任意に設定される。
【００２４】
次に、前記の回転防止具１の使用方法について説明する。
先ず、使用時には、各載置板４を図に示すように水平方向に開き、主板３と各載置板４を地表等において、表面側Ａを上向きにして水平姿勢に置く。
【００２５】
次に、塗料等が収納され、開缶した缶２を、図２，４に示すように、その各角部２ａが各係止部材６の内側に近接して位置するようにして主板３と各載置板４上に載置する。
【００２６】
次に、作業者が、片方の足で１個の載置板４の踏み部４ａを踏むか、或いは、双方の足で、隣接する２個の載置板４，４の踏み部４ａ，４ａを踏んで、その作業者の体重によって回転防止具１に回転防止力を伝達させる。
【００２７】
次に、その作業者が、ハンドミキサー等の攪拌機を手に持ち、その攪拌部を缶の塗料等内に入れ、攪拌機を回転作動して、その塗料等の攪拌、混合を行う。
【００２８】
このとき、攪拌部の回転により、内容物の粘性や量によって、缶２に回転力が作用するが、その缶２は、回転防止具１の係止部材６に係合してその回転が防止され、缶の供廻りが防止される。
【００２９】
これにより、作業者が缶２に接触することなく、缶２の供廻りを阻止できるため、前記従来の作業のように、作業者が怪我をするおそれもない。また、作業は、その足で載置板４を踏むのみでよく、作業性が向上する。
【００３０】
次に、作業終了後、缶２を取り外し、回転防止具１の各載置板４を、回転手段５によって、図３の鎖線に示すように裏面Ｂ側へ倒して折り畳む。
【００３１】
これにより、回転防止具１を不使用時にはコンパクトにでき、その運搬や蔵置が容易になる。
［実施例２］
図５は実施例２を示す。
【００３２】
本実施例２は、前記実施例１における４個の載置板４のうち、１個の載置板４を設けない、すなわち、載置板４を３個にしたものである。
【００３３】
その他の構造は、前記実施例１と同様であるため、前記と同一部分には前記と同一符号を付してその説明を省略する。
【００３４】
本実施例２においては、３個の載置板４と、これに設けた３個の係止部材６によって、缶２の回転を防止でき、前記実施例１と同様の作用、効果を発揮できる。
［実施例３］
図６は実施例３を示す。
【００３５】
本実施例３は、前記実施例２における３個の載置板４のうち、一直線上に位置して相互に対向する２個の載置板４に前記の係止部材６を設け、他の１個の載置板４には前記の係止部材６を設けない構造にしたものである。
【００３６】
その他の構造は、前記実施例２と同様であるため、前記と同一部分には、前記と同一符号を付してその説明を省略する。
【００３７】
本実施例３は、２個の係止部材６が、缶２における対角線上に位置する角部２ａに係合して缶２の回転を防止でき、前記実施例１と同様の作用、効果を発揮できる。
［実施例４］
図７は実施例４を示す。
【００３８】
本実施例４は、前記実施例１の係止部材６を、平板の係止部材６Ａとしたものである。この係止部材６Ａは、例えば、平板状の金属板、樹脂板などを用いる。
【００３９】
前記平板状の係止部材６Ａは、その対向する係止部材６Ａ，６Ａ相互の内のり寸法が、使用する缶２の対向する側壁２ｂの外面間隔と略同一となるように設けられている。
【００４０】
すなわち、各係止部材６Ａの内側が缶２の側壁２ｂの外面に近接し、缶２を４個の係止部材６Ａ内に嵌入でき、かつ、この係止部材６Ａによって缶２の水平面内での回転を防止できるように設けられている。
【００４１】
その他の構造は、前記実施例１と同様であるため、前記実施例１と同一部分には前記と同一符号を付してその説明を省略する。
【００４２】
本実施例４においても、前記実施例１と同様の作用、効果を発揮できる。
［実施例５］
図８は、実施例５を示す。
【００４３】
本実施例５は、前記実施例１における主板３をなくし、２個の前記の載置板４を一直線上に配置し、該両載置板４，４を、前記と同様な回転手段、例えば丁番５で、表裏方向に回転可能に連結し、両載置板４，４上に係止部材６を前記のように立設し、両載置板４，４の外側部の先部に踏み板からなる踏み部８を、載置板４の軸方向と直交する方向に回転手段５を介して備え、該踏み部８を、表裏方向に回転可能に備えたものである。
【００４４】
また、前記両係止部材６，６は、前記実施例１と同様の等辺山形鋼で形成され、これらの間に、缶２の対角線上の角部２ａが嵌合し、その缶２の回転を防止するように配置して、載置板４上に固着されている。
【００４５】
本実施例５においては、その両踏み板からなる踏み部８，８を作業者が足で踏むことにより、缶２の回転を防止でき、また、不使用時は、両載置板４，４相互及び踏み部８を、回転手段５で折り畳むことができ、前記実施例１と同様の作用、効果を発揮できる。
［実施例６］
図９は実施例６を示す。
【００４６】
本実施例６は、前記実施例５における等辺山形鋼からなる係止部材６を、前記図７に示す係止部材６Ａと同様の平板状の金属板等からなる係止部材６Ａとしたものである。更に、該対向する両係止部材６Ａ間の内のり寸法は、前記実施例４と同様に設定され、該両係止部材６Ａ，６Ａ間に缶２の両側壁が嵌合して、缶２の回転を防止するようになっている。
【００４７】
その他の構造は、前記実施例５と同様であるため、前記と同一部分には同一符号を付してその説明を省略する。
【００４８】
本実施例においても、前記実施例と同様の作用、効果を発揮できる。
［実施例７］
図１０は実施例７を示す。
【００４９】
本実施例７は、前記実施例６における平板からなる係止部材６を、丸棒の係止部材６Ｂとしたものである。また、該両係止部材６Ｂ，６Ｂは、両載置板４，４の軸芯Ｘ−Ｘに対して、一方の係止部材６Ｂが前側に位置し、他方の係止部材６Ｂが後側に位置するように、ずれて配置されており、缶２が回転しないようにしている。
【００５０】
その他の構造は、前記実施例６と同様であるため、前記と同一部分には前記と同一符号を付してその説明を省略する。
【００５１】
本実施例７においても、前記実施例６と同様の作用、効果を発揮できる。
［実施例８］
前記実施例においは、載置板４、踏み部である踏み板８を、回転手段５で折り畳み可能に設けたが、これら載置板４、踏み板８は、回転手段５で連結することなく折り畳み出来ないように構成してもよい。
［実施例９］
前記主板３、載置板４、踏み部８の大きさ、形状は、前記の缶を載置できる大きさ、形状であればよく、任意に設定する。
【符号の説明】
【００５２】
１  回転防止具
２  缶
３  主板
４  載置板
４ａ，８  踏み部
５  回転手段
６，６Ａ，６Ｂ  係止部材
【図１】
0005738138.tif 000002
【図２】
0005738138.tif 000003
【図３】
0005738138.tif 000004
【図４】
0005738138.tif 000005
【図５】
0005738138.tif 000006
【図６】
0005738138.tif 000007
【図７】
0005738138.tif 000008
【図８】
0005738138.tif 000009
【図９】
0005738138.tif 000010
【図１０】
0005738138.tif 000011